(57)【要約】【課題】身長の低い老人でもヘッドが見え易くし、かつゲーム用ボール等を打ち易くしたゲーム用クラブを提供すること。【解決手段】丸型チップ状ヘッド部１の内側面に取外し可能に固定されたシャフトジョイント本体３を有し、この本体３にクラブシャフト５が着脱自在に固定されていることを特徴とする。この構成により、各自の身長に合ったクラブシャフト５を取り付けて使用することが可能になり、ゲームをさらに楽しむことができる。【選択図】図４
0003159684.tif 000002
【実用新案登録請求の範囲】
【請求項１】
丸型チップ状ヘッド部と、このヘッド部に埋め込まれた錘とを有することを特徴とするゲーム用丸型チップ状ヘッドTクラブ。
【請求項２】
前記ヘッド部の内側面に取外し可能に固定されたシャフトジョイント本体を有し、このシャフトジョイント本体にクラブシャフトが着脱自在に固定されることを特徴とする請求項1に記載のゲーム用丸型チップ状ヘッドTクラブ。
【請求項３】
前記シャフトジョイント本体の後方に、前記丸型チップ状ヘッド部を床面に載置した際に該ヘッド部とのバランスを保持するためのバランス部材を設けたことを特徴とする請求項１又は請求項２に記載のゲーム用丸型チップ状ヘッドTクラブ。
【請求項４】
少なくともゲーム用得点エリアが表示されたシートと、このシートが剥離自在に貼着されるゲームマットとを有し、前記ゲーム用丸型チップ状ヘッドTクラブを使用してグラウンドゴルフ、パークゴルフ、ゲートボール、マレットゴルフ、カーリング等のゲームを行なえるようにしたことを特徴とするゲーム用具。
【考案の詳細な説明】
【技術分野】
【０００１】
本考案は、例えばグラウンドゴルフ、パークゴルフ、ゲートボールのようなゲームに使用するゲーム用クラブに関するものである。
【背景技術】
【０００２】
従来、ゲーム用ボールを打撃するグラウンドゴルフ、パークゴルフのようなゲームには、ヘッド部に固定されたシャフトを有するゲーム用クラブ
(以下、これを総称してゲーム用クラブという。）が使用されている。
例えば、特開２００４−２３０１１９号（以下特許文献１という。）にはボールを打ち易くしたグラウンドゴルフ用クラブが開示されている。
【０００３】
すなわち、上記特許文献１には、ヘッド部に対してシャフト倒立可能に枢着し、かつ、シャフトは所要傾斜位置で固定する手段を備え、身長の低い老人でもヘッドが見えるようにし、ゲーム用ボール等を打ち易くしたものが示されている。
【０００４】
【特許文献４】特開２００４−２３０１１９  (図７参照)
【考案の開示】
【課題を解決するための手段】
【０００５】
しかしながら、上記のグラウンドゴルフ用、パークゴルフ用クラブでは、ヘッドを所定の位置で固定する手段を備えているため、一旦固定してしまうと、さらに自己の好みでヘッドを交換することもできず、ヘッドの固定を解いて再び別なクラブを使用しなければならず、自由度が乏しい難点があった。
また、固定するための構造が複雑で部品点数が多くコスト高となることを免れ
なかった。
【０００６】
本考案は、上記の点に鑑みてなされたもので、部品点数が少なく構造簡単で安値に製作できるとともに、プレーヤーの好みで右打ち、左打ちも自由に変えることができ、きわめて打ち易い丸型ヘッドクラブを提供することを目的とする。
【０００７】
請求項1に記載の丸型ヘッドクラブは、ヘッド部と、そのヘッド部に錘を埋め込まれたことで、ヘッドとのバランスをとり形成された本体が接続されたことが特徴とするものである。
この丸型ヘッドクラブは、特にヘッド部の打撃面、錘を固定することなく、ゲームに寄って自由にヘッドの交換ができ、ボール等を打てるようにしたものである。そのため、室内、室外においてもプレーヤーが右打ち、左打ちも好み等に応じて自由かつ、本体後方底面にヘッドと本体のバランスを重視するための、補強を設けたことにより、重心が安定して打球をより遠方に、あるいは的確な位置に飛ばすことができる。
【０００８】
請求項2に記載の丸型ヘッドクラブは、前記ヘッド部がチップ状に形成されていることを特徴とするものである。これにより棒状のヘッドに比較し、ゲーム用ボール等を打つ場合に、ヘッド部の接触面が少なく、本体とのバランスが良く軽く打撃ができ、しかもヘッド等の交換もできるため、プレーヤーに取って趣味のあるクラブまたゲームを楽しむことができる。
【０００９】
請求項3に記載の丸型ヘッドクラブ等を用いて、ゲームを行なう場合に、ゲームマット、シート、フエルト素材等に予め印刷した、得点エリア、スタートエリア、カーリングエリア、ミニゴルフエリア、ナンバー得点エリア等を印刷した素材で形成された裏面に、粘着テープ等で、マット、シート上で、ゲームに寄って、何処でも貼り付けて複数のゲームができ、かつ、マット、シート上からボール、またゲームチップ等が飛び出さないように、ガードを設けてあることが特徴とするものである。
【００１０】
請求項4に記載の丸型ヘッドクラブ等でゲームを行なう際、前記本体後方底面にヘッドとの平行間と、ヘッドの重量を保つための、バランス補強部を設けてあること、かつバランス補強部はヘッドのバランスを得るため、ゲームに寄って何時でも交換できることが特徴とするものである。
【考案の効果】
【００１１】
本考案は上記のように構成したもので、概略次のような顕著な効果を奏する。
・  ゲームグラウンド等の接地面の凸凹、プレーヤーの好み応じて右打ち、左打
ち、が自由にでき、ヘッド部を交換することで変化させるできるため、プレーヤーがゲーム用ボール等を打ちやすくより遠方に飛ばすことができることともに、ゲーム用ボールの飛ばす方向、飛ばす距離等の制御がより容易になり、ゲームに対する興味が一層向上する。
・  ヘッド部に対する本体部との固定手段を設けていないので、部品点数が少な
く、しかもその構造が複雑にならずシンプルな構造であるため、安価に製作することができる。
【考案を実施するための最良の形態】
【００１２】
考案の丸型チップ状ヘッドTクラブは、ヘッド本体部を接地し、クラブを打者によって、右打ち、左打ち方向が自由にでき、クラブ本体を、打者の打ち易いスタンスに合わせてあるため、シャフト部を、ジョイント部材を介して取り付け、取り外し自在にしたものである。
【実施例】
【００１３】
以下に、本考案の一実施例を図に基づき詳細に説明する。
図1は、本体とヘッド部の組立図、図2は、ヘッド部１の正面図、図３は、ヘッド部の裏面図である。
これらの図において、ゲーム用丸型チップ状ヘッドTクラブMのヘッド部1には、本体部材3が、その一端に設けた突出部１０が前記ヘッド部１の対向面に形成した凹部９に挿入される。
【００１４】
前記ヘッド部１の凹部９の反対側面には錘２が収納される錘用凹部１１が形成されている。錘２の中心部にはねじ６が挿入される穴（図示せず）形成され、この穴にねじ６を挿入する。そして、前記本体３の突出部１０のねじ穴１０aとねじ６とを螺合させて本体３とヘッド部１とを一体的に固定する。
【００１５】
本体３の外周面の一端にはヘッド部１とのバランスを取るためのバランス錘７がねじ８によって取り付けられている。
なお、この実施例ではねじ止めとしたが、この固定手段はねじ止めに限定されるものではなく接着剤等で固定しても良い。
【００１６】
バランス錘７の反対側外周面にはシャフト５がジョイント部材４を介して本体３に固定される。
なお、上記ヘッド部1及び本体3の材質についても特に限定されるものではないが、安価に製作する上では合成樹脂で形成し、その中に適当な錘2を挿入するようにするのが好ましい。
また、ゲームを行う打者の身長に合わせて何時でもシャフト５を交換できるように考慮した構造としたものである。
【００１７】
図６は、上記のように構成のゲーム用丸型チップ状TクラブMを使用してゲームを行なう場合に用いる得点エリア表示シートを示す図である。
この図において、S1〜S9は得点エリア表示シートの具体例である。この表示シートS1〜S９を必要に応じて選択し、ゲーム用マットに貼着して使用する。  
【図面の簡単な説明】
【００１８】
【図１】本考案の本体とヘッド部の組立図である。
【図２】本考案のヘッド部の正面図である。
【図３】本考案のヘッド部の裏面図である。
【図４】本考案のゲーム用丸型チップ状Tクラブの全体図である。
【図５】上記ゲーム用丸型チップ状Tクラブの斜視図である。
【図６】得点エリア表示シートの平面図である。
【図７】従来のクラブの要部を示す説明図である。
【符号の説明】
【００１９】
１      ヘッド部
２      錘
３      本体
４      ジョイント部材
５      シャフト
６      ねじ
７      バランス錘
８      ねじ
９      凹部
１０    突出部
１０a   ねじ穴
１１    錘用凹部
M      ゲーム用丸型チップ状Tクラブ
【図１】
0003159684.tif 000003
【図２】
0003159684.tif 000004
【図３】
0003159684.tif 000005
【図４】
0003159684.tif 000006
【図５】
0003159684.tif 000007
【図６】
0003159684.tif 000008
【図７】
0003159684.tif 000009
【手続補正書】
【提出日】平成22年1月28日(2010.1.28)
【手続補正１】
【補正対象書類名】実用新案登録請求の範囲
【補正対象項目名】全文
【補正方法】変更
【補正の内容】
【実用新案登録請求の範囲】
【請求項１】
丸型チップ状ヘッド部と、このヘッド部に埋め込まれた錘とを有することを特徴とするゲーム用丸型チップ状ヘッドＴクラブ。
【請求項２】
前記ヘッド部の内側面に取外し可能に固定されたシャフトジョイント本体を有し、このシャフトジョイント本体にクラブシャフトが着脱自在に固定されることを特徴とする請求項１に記載のゲーム用丸型チップ状ヘッドＴクラブ。
【請求項３】
シャフトジョイント本体の後方に、丸型チップ状ヘッド部を床面に載置した際に該ヘッダ部とのバランスを保持するためのバランス部材を設けたことを特徴とする請求項２に記載のゲーム用丸型チップ状ヘッドＴクラブ。
【請求項４】
少なくともゲーム用得点エリアが表示されたシートと、このシートが剥離自在に貼着されるゲームマットとを有し、請求項１〜３のいずれか1項に記載のゲーム用丸型チップ状ヘッドＴクラブを使用してグラウンドゴルフ、パークゴルフ、ゲートボール、マレットゴルフ、カーリング等のゲームを行なえるようにしたことを特徴とするゲーム用具。
【手続補正２】
【補正対象書類名】明細書
【補正対象項目名】０００５
【補正方法】変更
【補正の内容】
【０００５】
しかしながら、上記のグラウンドゴルフ用、パークゴルフ用クラブでは、ヘッドを所定の位置で固定する手段を備えているため、一旦固定してしまうと、自己の好みでヘッドを交換することもできず、再び別のクラブを使用しなければならない。そのため自由度が乏しい難点があった。
【手続補正３】
【補正対象書類名】明細書
【補正対象項目名】０００６
【補正方法】変更
【補正の内容】
【０００６】
本考案は、上記の点に鑑みてなされたもので、部品点数が少なく構造が簡単で安価に制作できるとともに、プレーヤーの好みで右打ち、左打ちも自由に変えることができ、きわめて打ち易いゲーム用丸型チップ状ヘッドＴクラブを提供することを目的とする。
【手続補正４】
【補正対象書類名】明細書
【補正対象項目名】０００７
【補正方法】変更
【補正の内容】
【０００７】
請求項１に記載のゲーム用丸型チップ状ヘッドＴクラブは、丸型チップ状ヘッド部と、このヘッド部に埋め込まれた錘とを有することを特徴とするものである。
このゲーム用丸型チップ状ヘッドＴクラブは、特にヘッド部の打撃面、錘を固定することなく、ゲームによって自由にヘッドの交換ができ、ボール等を打てるようにしたものである。そのため、室内、室外においてもプレーヤーが右打ち、左打ちも好み等に応じて自由かつ、本体後方底面にヘッドと本体のバランスを重視するための補強を設けることにより、重心が安定して打球をより遠方に、あるいは的確な位置に飛ばすことができる。
【手続補正５】
【補正対象書類名】明細書
【補正対象項目名】００１１
【補正方法】変更
【補正の内容】
【００１１】
本考案は上記のように構成したもので、概略次のような顕著な効果を奏する。
（１）ゲームグラウンド等の接地面の凸凹、プレーヤーの好みに応じて右打ち、左打ちが自由にでき、ヘッド部を交換することができるため、プレーヤーがゲーム用ボール等を打ちやすく、より遠方に飛ばすことができるとともに、ゲーム用ボールの飛ばす方向、飛ばす距離等の制御がより容昜になり、ゲームに対する興味が一層向上する。
（２）ヘッド部に対する本体部との固定手段を設けておらず、一体的であるため部品点数が少なく、しかもその構造が複雑にならずシンプルな構造になる。このため、安価に製作することができる。
【手続補正書】
【提出日】平成22年3月17日(2010.3.17)
【手続補正１】
【補正対象書類名】実用新案登録請求の範囲
【補正対象項目名】全文
【補正方法】変更
【補正の内容】
【実用新案登録請求の範囲】
【請求項１】
丸型チップ状ヘッド部と、このヘッド部に埋め込まれた錘とを有することを特徴とするゲーム用丸型チップ状ヘッドＴクラブ。
【請求項２】
前記ヘッド部の内側面に取外し可能に固定されたシャフトジョイント本体を有し、このシャフトジョイント本体にクラブシャフトが着脱自在に固定されることを特徴とする請求項１に記載のゲーム用丸型チップ状ヘッドＴクラブ。
【請求項３】
シャフトジョイント本体の後方に、丸型チップ状ヘッド部を床面に載置した際にヘッド部とのバランスを保持するためのバランス部材を設けたことを特徴とする請求項２に記載のゲーム用丸型チップ状ヘッドＴクラブ。
【請求項４】
少なくともゲーム用得点エリアが表示されたシートと、このシートが剥離自在に貼着されるゲームマットとを有し、請求項１〜３のいずれか1項に記載のゲーム用丸型チップ状ヘッドＴクラブを使用してグラウンドゴルフ、パークゴルフ、ゲートボール、マレットゴルフ、カーリング等のゲームを行なえるようにしたことを特徴とするゲーム用具。